(57)【特許請求の範囲】
【請求項１】
弁棒と一体となって回転する回転輪と、該回転輪から回転運動が伝達され弁体の開度を示す開度指示部とが密閉容器内に収納され、該容器の前記開度指示部に対面する面が透明とされ、該透明な面を介して前記開度指示部が外部から観察可能とされてなる仕切弁の開度計であって、密閉容器内の空間が回転輪と連動する伝動装置によって占められ、伝動装置の歯車が周回する空間を満たす部材を有する仕切弁の開度計。
【発明の詳細な説明】
【０００１】
【発明の属する技術分野】
この発明は、仕切弁の開度計の改良に関する。
【０００２】
【従来の技術】
従来、弁体と弁棒とが固定され相互の回転量が一対一で対応している弁、例えばバタフライ弁やロータリー弁などの開度は、弁棒と直結した操作軸の回転位置を見れば弁の開度が一目で判別できるが、弁体の開度と弁棒の回転量とが一対一で対応していない弁例えば仕切弁などはハンドルの回転位置を見ても弁体の開度はわからない。
【０００３】
このため、弁の開度を容易に判別出来るよう、差動歯車機構などで弁軸と連動する開度計を弁軸周囲に設けたものが提案され、かつ実施されている（例えば実用新案公報第３０２５４１４号）。
【０００４】
【発明が解決しようとする課題】
しかし、従来の仕切弁の開度計は、弁体の開度に応じて移動する指示針が弁箱表面に露出した状態に取り付けら、しかもこれら仕切弁は地中埋設管と共にマンホール底部など地中埋設位置に設けられる事が多いので、雨水により土砂等が流入しやすく、土砂等が可動部に侵入すると故障の原因ともなり、故障を起こせば正確な開度が示されないなどの問題があった。
【０００５】
この発明は、上記問題を解消し、マンホール底部など土砂等が流入し易い箇所に配置される仕切弁の開度計が、流入土砂によって故障を起こす事がなく、また、土砂を除去すれば正確な開度が判別できる仕切弁の開度計を提供することを目的としてなされたものである。
【０００６】
【課題を解決するための手段】
請求項１の仕切弁の開度計は、弁棒と一体となって回転する回転輪と、該回転輪から回転運動が伝達され弁体の開度を示す開度指示部とが密閉容器内に収納され、該容器の前記開度指示部に対面する面が透明とされ、該透明な面を介して前記開度指示部が外部から観察可能とされてなる仕切弁の開度計であって、密閉容器内の空間が回転輪と連動する伝動装置によって占められ、伝動装置の歯車が周回する空間を満たす部材を有するものである。
【０００７】
この発明によれば、回転伝達部と開度指示部とが、密閉容器内に収納されているため、土砂が機構部に流入することがなく、流入土砂により故障を起こす事がない。また、開度指示部は透明な面で保護されているので、土砂を除去する際に開度指示部を損傷してしまう事がない。また、密閉容器内の空気体積が可能な限り小さくされるので、密閉容器中に含まれる水分の結露によって容器内面から透明板が曇るのが防止され視認がしやすくなる。
【０００９】
【発明の実施の形態】
次に、この発明の実施の形態を説明する。
実施の形態１
図１はこの発明の実施の形態である仕切弁の開度計の縦断面図、図２は同じく横断面図である。
【００１０】
図１において１は弁棒を示し、弁棒１の周囲にキャップ１ａと爪部１ｂで係合し弁棒１と一体となって回転するハブ２が設けられている。
ハブ２の外周にはアーム３が径方向に延出され、アーム３の先端部分には、アーム３の表裏面に軸４が軸支され、この軸４に歯車５、６が同軸に固定されている。
【００１１】
この歯車５、６の内、裏面側の歯車５には、ケーシング１０と一体とされた固定歯車７が噛み合わされ、表面側の歯車６にはハブ２を中心として自由回転する遊転歯車８が噛み合わされ、作動歯車装置が構成されている。
上記可動歯車８には指針板９が一体に取り付けられ、指針板９には指針９ａが設けられている。
【００１２】
従って、ハブ２が一回転すると、歯車５は固定歯車７と噛み合いながら回転し、その回転が歯車６から遊転歯車８に伝達され、これによって弁棒一回転が遊転歯車８の（１−Ｚ５・Ｚ８／Ｚ７・Ｚ６）回転となって伝わる。ここに、Ｚ５〜Ｚ８はそれぞれ歯車５〜歯車８の歯数を示す。
従って、歯数Ｚ５・Ｚ８をＺ７・Ｚ６に近い値とすれば、弁の開度を弁棒１の回転数に応じて歯車８、すなわち指針板９の回転角として表示できる。
【００１３】
そして、指針板９の外周を囲むケーシング１０が弁棒１周囲の弁箱１１外面に固定され、上記指針板９と対面するケーシング壁１０ａが透明板とされている。また、ケーシング１０とハブ２との摺動接触部にはＯリングなどのシールリング１２、１２が介挿され、外部からの水、土砂等の侵入を防いでいる。
従って、弁棒１の回転を伝達し弁体の開度を示す指示部がすべてケーシング１０内に密閉され、ケーシング１０上面に土砂が堆積しても作動歯車部や表示部に土砂が浸入することがなく、これらを原因とする故障は防止される。
【００１４】
また、堆積した土砂を除去する場合も、除去具が触れる事がないので開度表示部が損傷されることがない。
従って、土砂等を除去すれば透明板を通じて表示部が視認でき、かつ常に正確な弁体の開度が判かる。
なお、上記実施の形態１の作動歯車装置の歯車としてすべて外歯歯車を用いた場合を示したが、図３に示すように一部を内歯歯車を用いた構造のものとしても良い。
【００１５】
なお、図３において固定歯車７、遊転歯車８が内歯歯車とされている他は図１、図２に示した仕切弁の開度計と同じであるので同一符号を示すのみで詳細な説明は省略する。
実施の形態２
図４は実施の形態２の縦断面図、図５は図４のＡ-Ａ線断面図である。
【００１６】
図４、図５において、図１、図２と同一部材は、同一符号で示し詳細な説明は省略する。
図４、図５において、ケーシング１０内にはハブ２、アーム３、歯車５、６、７、８以外の空間容積が極力少なくなるよう歯車７、８の周面に沿って歯車５、６と共に転動するリング体１３、１３が遊嵌されている。
【００１７】
上記リング体１３、１３は図５に示すように歯車６を受容する円孔状貫通孔１３ａを有し、歯車７、８外周とケーシング１０内面との空間を満たす。また、歯車５、６を軸支するアーム３も、ハブ２から径方向に延出したフランジ状体とされ歯車７、８間の空間も満たしている。従って、ケーシング１０内の空間Ｓは、歯車５〜８の歯の谷部によってできる空間Ｓ１と歯頂部とケーシング１０あるいはリング体１３周面との間のクリアランス量Ｓ２だけとなるので非常に狭くなる。
【００１８】
従って、当該空間Ｓ内に含まれる水分が内外気温差により結露しても、透明板１０ａ全体を曇らせるには不十分となり、透明板１０ａが結露によって曇り、指針板９を視認し辛くなるということは無い。
なお、歯車７、８が内歯歯車の場合は、図３におけるハブ２と歯車７、８間に図５に示したようなリング体１３、１３が装着される。
【００１９】
【発明の効果】
以上説明したように請求項１の仕切弁の開度計によれば、ケーシング上面に土砂類が沈殿堆積してもこれを除去すれば透明板を介して弁体の開度が直ちに判明し、また土砂類はケーシング内に浸透しないので内部の差動歯車機構なども保護され故障を起こすこともない。従って開度に関する示度の信頼性も高くなる。
【００２０】
また、請求項２の仕切弁の開度計は、内部容積ができるだけ小さくされているので、内部空気に水分が含まれていてもこれが結露して透明板を内部から曇らせる事がなく、結露により視認が妨げられることはない。
【図面の簡単な説明】
【図１】本発明の実施の形態１の仕切弁の開度計の縦断面図である。
【図２】図１のＡ-Ａ線断面図である。
【図３】本発明の実施の形態１の仕切弁の開度計の他の構成例の縦断面図である。
【図４】本発明の実施の形態２の仕切弁の開度計の縦断面図である。
【図５】図４のＡ-Ａ線断面図である。
【符号の説明】
１    弁棒
２    ハブ
３    アーム
４    軸
５    歯車
６    歯車
７    固定歯車
８    遊転歯車
９    指針板
９ａ  指針
１０    ケーシング
１１    弁箱
１２    シールリング
１３    リング体
【図１】
0003741566.tif 000002
【図２】
0003741566.tif 000003
【図３】
0003741566.tif 000004
【図４】
0003741566.tif 000005
【図５】
0003741566.tif 000006